(57)【要約】【課題】正規利用者以外が使用するのを広く制限することができるデータ処理装置を提供する。【解決手段】キー入力部５に入力がなされると、誤操作監視部３は、その入力内容に誤りが存在したかどうか判定し、誤りが存在した場合には誤操作カウンタの値をインクリメントする。メイン処理部２は、誤操作カウンタの値が誤操作監視部３に設定されている規定値以上かどうか判定し、規定値以上となった場合には、正規利用者の端末操作習熟度のデータを誤操作監視部３から読出し、正規利用者が装置に習熟していると判断できる場合には、現在の利用者に対してパスワード入力を要求する。パスワード照合部８によりパスワード照合結果が一致しなかった場合には、それ以降の入力を一切拒否するように動作を制限することにより不正使用を防止する。【選択図】  図１
2004179728.tif 000002
【特許請求の範囲】
【請求項１】
操作入力を行なうための操作入力手段と、前記操作入力手段に入力された操作の特徴を検出する特徴検出手段と、前記特徴検出手段で検出された特徴に基づき動作を制限する動作制限手段とを備えたことを特徴とするデータ処理装置。
【請求項２】
前記操作の特徴が誤操作の発生頻度であることを特徴とする請求項１記載のデータ処理装置。
【請求項３】
正規の使用者の操作習熟度に応じて変化する誤操作の発生頻度を正規使用者誤操作頻度として記録する正規使用者誤操作頻度記録手段を備え、現在の使用者による誤操作の発生頻度を前記正規使用者誤操作頻度と比較し、前記現在の使用者による誤操作の発生頻度が、あらかじめ定めた度合い以上に前記正規使用者誤操作頻度より大きい場合、前記動作制限手段は動作を制限することを特徴とする請求項２記載のデータ処理装置。
【請求項４】
前記操作の特徴が前記データ処理装置の内部のデータを読み出す順序であることを特徴とする請求項１記載のデータ処理装置。
【請求項５】
リスト型データを記憶する記憶手段を備え、前記記憶手段に記憶されたリスト型データを読み出す順序が列挙順であり、前記リスト型データを列挙順に読み出す頻度があらかじめ定めた頻度以上となった場合、前記動作制限手段は動作を制限することを特徴とする請求項４記載のデータ処理装置。
【請求項６】
前記データ処理装置は、携帯電話装置であることを特徴とする請求項１ないし請求項５のいずれかに記載のデータ処理装置。
【発明の詳細な説明】
【０００１】
【発明の属する技術分野】
本発明は操作入力に対し装置の動作を制限する手段を備えたデータ処理装置に関する。
【０００２】
【従来の技術】
従来のデータ処理装置は、ダイアル番号、暗証番号を入力するキー操作部と、暗証番号の照合を行う照合チェック部と、過去に発信したダイアル番号を登録するダイアル番号リストと、入力されたダイアル番号をチェックし必要に応じて暗証番号の入力要求を行い発信許可または不許可の判断を下すダイアル番号規制チェック処理部とを含む。
【０００３】
キー操作部からダイアル番号が入力されると、ダイアル番号リストを参照しこの入力されたダイアル番号が新規ダイアル番号かをチェックし、新規ダイアル番号ならばキー操作部を介して暗証番号の入力要求を行い、暗証番号が入力されると照合チェック部を介してあらかじめ登録された暗証番号と照合し、暗証番号が一致しない場合は不正使用として発信動作を禁止する。
【０００４】
一方暗証番号が一致した場合並びに入力されたダイアル番号がダイアル番号リストに登録済みの場合は正規使用として発信を許可するように動作し、その結果正規利用者以外から不正に発信されるのを防ぐことができる。
【０００５】
また暗証番号入力を新規ダイアル番号に限定したことにより、正規利用者の暗証番号入力の煩わしさを低減することができるというように動作する（例えば特許文献１参照）。
【０００６】
【特許文献１】
特開平１１−２１５５５３号公報（第３−４頁、第１図）
【０００７】
【発明が解決しようとする課題】
しかしながら、従来のデータ処理装置においては、電源投入時の暗証番号入力後に正規利用者以外が電子機器を使用するのを制限することができるのは、新規ダイアル番号への発信であり、他の操作を制限することはできないという問題があった。
【０００８】
本発明は、このような従来の問題を解決するためになされたもので、正規利用者以外が使用するのを広く制限することができるデータ処理装置を提供するものである。
【０００９】
【課題を解決するための手段】
本発明のデータ処理装置は、操作入力を行なう操作入力手段と、操作入力手段に入力された操作の特徴を検出する特徴検出手段と、特徴検出手段で検出された特徴に基づき動作を制限する動作制限手段とを備えた構成を有している。この構成により、操作の特徴によって利用者を識別し、データ処理装置を使用するのを制限することができる。
【００１０】
また、本発明のデータ処理装置は、操作の特徴が誤操作の発生頻度である構成を有している。この構成により、誤操作を繰り返すという不自然な利用者に対してデータ処理装置の使用を制限することができる。
【００１１】
また、本発明のデータ処理装置は、正規の使用者の操作習熟度に応じて変化する誤操作の発生頻度を正規使用者誤操作頻度として記録する正規使用者誤操作頻度記録手段を備え、現在の使用者による誤操作の発生頻度を正規使用者誤操作頻度と比較し、現在の使用者による誤操作の発生頻度が、あらかじめ定めた度合い以上に正規使用者誤差頻度より大きい場合、動作制限手段は動作を制限する構成を有している。
【００１２】
この構成により、データ処理装置の操作に不慣れな者を正規利用者でないと判断し、データ処理装置の操作全般を制限することができる。
【００１３】
また、本発明のデータ処理装置は、操作の特徴がデータ処理装置の内部のデータを読み出す順序である構成を有している。この構成により、あらかじめ定めたデータを読み出す順序によって利用者を識別し、データ処理装置の動作を制限することができる。
【００１４】
また、本発明のデータ処理装置は、リスト型データを記憶する記憶手段を備え、記憶手段に記憶されたリスト型データを読み出す順序が列挙順であり、リスト型データを列挙順に読み出す頻度があらかじめ定めた頻度以上となった場合、動作制限手段は動作を制限する構成を有している。
【００１５】
この構成により、リスト型データに対して短時間に続けて列挙順にデータ読出を行うという正規利用者であることが疑わしい利用者に対してデータ処理装置の動作を制限することができる。
【００１６】
さらに、本発明のデータ処理装置は、携帯電話装置である構成を有している。この構成により、携帯電話装置の操作の特徴を検出して、使用者を識別し、携帯電話装置を使用するのを制限することができる。
【００１７】
【発明の実施の形態】
以下、本発明の実施の形態について、図面を用いて説明する。
【００１８】
図１は、本発明の一実施の形態におけるデータ処理装置のブロック図である。
【００１９】
図１に示すように、本発明の一実施の形態のデータ処理装置は携帯電話装置であり、キー入力部５より利用者の入力を受け付け、入力内容をメイン処理部２が解釈することで種々の処理を実行する。具体的には、記憶部７に保存されている各種データを表示部６に表示し、また、電話番号で指定される相手へ、接続処理部９および無線部１０を介して発信するといった処理が可能である。
【００２０】
キー入力部５への入力に誤りがある場合、誤操作監視部３が誤操作を認識し、誤操作の回数を数えている誤操作カウンタ（図示せず）の値をインクリメントする。入力に誤りがある場合とは、具体的には、例えばファンクション設定状態で上下のキーしか選択できないときに左右のキーを押すといった様に、選択肢に無いキーを押した場合や、一旦キーを押して選択した内容をキャンセルした場合などが該当する。
【００２１】
データ読出を行う際には、データ読出監視部４が、読み出されるデータの種類を監視し、利用者がリスト型データを列挙順に参照した場合には、データ参照回数を数えているデータ参照カウンタ（図示せず）の値をインクリメントする。リスト型データとは、メールデータや電話帳データなど同一フォーマットが複数個集まって構成され、利用者がその一覧表からデータ番号、送受信日時等を指定して任意のデータを参照できる形式となっているデータのことであり、列挙順に参照するとは、一覧表からデータをデータ番号、送受信日時等に従って順に参照することである。
【００２２】
誤操作監視部３、データ読出監視部４の監視結果を元に、本装置が現在不正使用されているかどうかをメイン処理部２が判断し、判断結果によってはパスワードの入力を求め、パスワード入力内容はパスワード照合部８によって判断され、パスワードが一致すれば意図した処理を継続することができるが、一致しない場合には処理を終了するように動作を制限する。
【００２３】
次に、図２と図３を用いて本発明の一実施の形態におけるデータ処理装置の動作を説明する。図２および図３は、本発明の一実施の形態におけるデータ処理装置の動作を示す流れ図である。
【００２４】
利用者よりキー入力部５に何らかの入力がなされると（ステップ（以下Ｓと記す）１１）、誤操作監視部３は、その入力内容に誤りが存在したかどうか判定し（Ｓ１２）、誤りが存在した場合には誤操作カウンタの値をインクリメントする（Ｓ１３）。メイン処理部２は、誤操作カウンタの値が誤操作監視部３に設定されている規定値以上となったかどうか判定する（Ｓ１４）。
【００２５】
規定値以上となった場合には、正規利用者の携帯電話装置操作習熟度に関するデータを誤操作監視部３から読出し（Ｓ１５）、正規利用者が充分携帯電話装置に習熟していると判断できる場合には、現在の利用者に対してパスワード入力を要求する（Ｓ１６）。パスワード照合部８によりパスワード照合結果が一致するかどうか判定がなされる（Ｓ１７）。
【００２６】
一致しなかった場合には、それ以降の入力を一切拒否するように動作を制限することにより不正使用を防止する（Ｓ１８）。カウンタの値が規定値未満である場合、または正規利用者が携帯電話装置操作に習熟するのに必要と想定されるあらかじめ定めた規定時間（規定値）に到達したかどうかを判定する誤操作タイマー（図示せず）の値をチェックする（Ｓ１９）。誤操作タイマーが誤操作監視部３にて規定されている規定値以上経過していない場合には、入力された内容の実行に移る。
【００２７】
誤操作タイマーが規定値以上経過している場合、またはパスワード入力が一致した場合には、誤操作タイマー、誤操作カウンタの値をそれぞれ初期値へ戻し、これまでの誤操作回数を統計データとしてまとめた誤操作管理テーブル（図示せず）を更新し、誤操作管理テーブルを元に正規利用者の携帯電話装置操作習熟度を更新する（Ｓ２０）。その後、キー入力の内容の実行に移る。
【００２８】
次に、データを読み出す順序を監視することにより不正使用を制限する動作を示す。利用者のキー入力部５への入力によりリスト型データの読出が発生すると（Ｓ２１）、データ読出監視部４は、その読出要求内容が、列挙順になっているか判断する（Ｓ２２）。該当する場合には、データ参照カウンタをインクリメントする（Ｓ２３）。
【００２９】
隣接データ読出回数が、データ読出監視部４に設定されている規定値以上となったかどうか確認し（Ｓ２４）、規定値以上となった場合には、利用者に対してパスワードの入力を求める（Ｓ２５）。パスワード照合部８によりパスワード照合結果が一致するかどうか判定がなされ（Ｓ２６）、一致しなかった場合には、それ以降のデータを一切拒否するように動作を制限することにより不正使用を防止する（Ｓ２７）。
【００３０】
カウンタの値が規定値未満である場合には、隣接データを読み出している時間を計測するデータ参照タイマー（図示せず）の値をチェックする（Ｓ２８）。データ参照タイマーがデータ読出監視部４にて設定されている規定値以上を経過していない場合には、入力された内容の実行、つまりデータの参照処理を継続する。
【００３１】
規定値以上経過している場合、またはパスワード入力が一致した場合には、データ参照タイマー、データ参照カウンタの値をそれぞれ初期値へ戻す（Ｓ２９）。その後入力内容の実行、すなわちデータの参照処理を継続する。
【００３２】
なお、上記実施の形態ではデータ処理装置が携帯電話装置の場合で説明したが、本発明はデータ処理装置が携帯電話装置に限定されるものではなく、ＰＨＳ、パーソナルコンピュータ、個人情報端末（ＰＤＡ）、電子手帳、車載用あるいは携帯ナビゲーション装置、ＰＯＳ端末等のデータ処理装置においても同様の効果を有するものである。
【００３３】
【発明の効果】
以上説明したように、本発明は操作を入力する操作入力手段と、操作入力手段に入力された操作の特徴を検出する特徴検出手段と、特徴検出手段で検出された特徴に基づき動作を制限する動作制限手段とを備えたことにより、操作の特徴によって利用者を識別し、データ処理装置を使用するのを制限することができるというすぐれた効果を有するデータ処理装置を提供することができる。
【図面の簡単な説明】
【図１】本発明の一実施の形態におけるデータ処理装置のブロック図
【図２】本発明の一実施の形態におけるデータ処理装置の流れ図
【図３】本発明の一実施の形態におけるデータ処理装置の流れ図
【符号の説明】
１  携帯電話装置
２  メイン処理部
３  誤操作監視部
４  データ読出監視部
５  キー入力部
６  表示部
７  記憶部
８  パスワード照合部
９  接続処理部
１０  無線部
【図１】
2004179728.tif 000003
【図２】
2004179728.tif 000004
【図３】
2004179728.tif 000005